(57)【要約】【課題】従来、給水配管に設定される逆止弁は、水道用機器の近傍に設定され水流の逆流によって機器の作動に支障を来さないように設定されるものであるが、機器の近傍にあるため変形流路や機器の作動により水流が乱れ、弁の作動流圧が正常に働かなかったり、異物の混入を招いたりすることが多かった。【解決手段】異物濾過機能のほか、逆止弁体に対向する乱流によって生ずる偏頗な流圧を調整する機能をも備えた濾過整流板３を、逆止弁体２の１次側に弁座２１を介して設定し、弁体に対してその作動に適応した流圧が掛けられるようにし、その取付けにより逆止弁座の配設を安定的に封止できるようにした。【選択図】図３
2008014352.tif 000002
【特許請求の範囲】
【請求項１】
閉鎖方向に付勢された弁体の１次側に、弁座を介して濾過整流板を設定したことを特徴とする逆止弁ユニット
【請求項２】
ユニットを収納するバルブケースを伸縮管に構成した請求項１記載の逆止弁ユニット
【請求項３】
濾過整流板を、開閉可能に２分割した環状フレームの中央部にメッシュ板を着脱可能に嵌着し、端縁部をバルブケースとの嵌合構造に構成して、環状フレームとバルブケースとの嵌合により逆止弁の弁座を封止するように構成した請求項１又は請求項２記載の逆止弁ユニット
【請求項４】
濾過整流板の素材を合成樹脂製とした請求項３記載の逆止弁ユニット
【請求項５】
開閉可能に２分割した環状フレームの中央部にメッシュ板を着脱可能に嵌着し、端縁部をケース体との嵌合構造に構成した濾過整流板
【請求項６】
メッシュ板中央部のメッシュ孔の径を大きく、外周部のメッシュ孔の径を小さく形成した請求項３記載の逆止弁ユニット又は請求項５記載の濾過整流板
【請求項７】
メッシュ板中央部のメッシュ孔の径を小さく、外周部のメッシュ孔の径を大きく形成した請求項３記載の逆止弁ユニット又は請求項５記載の濾過整流板
【請求項８】
メッシュ板の中央部を凸又は凹状の曲面に構成した請求項３記載の逆止弁ユニット又は請求項５又は請求項６又は請求項７記載の濾過整流板
【請求項９】
メッシュ板の中央部を凸レンズ状に膨出させて肉厚に構成した請求項３記載の逆止弁ユニット又は請求項５又は請求項６又は請求項７記載の濾過整流板
【請求項１０】
素材を合成樹脂により成形した請求項５記載の濾過整流板
【発明の詳細な説明】
【技術分野】
【０００１】
本発明は、ボールバルブ等からメーター機器等に介在接続される逆止弁ユニットと、水流中の異物を除去し水流を整えて水道用機器の作動を円滑化する濾過整流板に関するものである。
【背景技術】
【０００２】
従来、給水配管の所要箇所に設定される逆止弁は、水道用機器の近傍に設定され水流の逆流によって機器の作動に支障を来さないように設定されるものであるが、機器の近傍にあるため変形流路や機器の作動により水流が乱れ、弁の作動流圧が正常に働かなかったり、異物の混入を招いたりすることが多かった。
【０００３】
そのため、特許文献１に記載されるように逆止弁とストレーナを一体に備えた止水栓、特許文献２に記載されるような逆止弁を一体に備えた止水栓が開発され、更に、特許文献３に記載されるように、弁体等の部品の交換を簡単に行えるようにした簡易交換型逆止弁の提案がなされてきている。
【特許文献１】特開平０６−１２９５５２号公報
【特許文献２】特開平０７−２８０１１４号公報
【特許文献３】実開平０５−７５５６８号公報
【発明の開示】
【発明が解決しようとする課題】
【０００４】
しかも、上記の特許文献に記載のように異物の混入に対応するストレーナは止水栓等の機器流路中に設置されるものであるため、その交換や清掃には機器本体の分解等、極めて面倒な作業が必要であった。
【０００５】
更に、最小限止水栓の設置が必要な水道用メータの設置は本管から分水される配水支管に設置されるものであり、逆流防止のための逆止弁の設定は欠くことができないうえ、本管からの距離の遠近によって給水圧に差がありメータの設置部において流量調整を行うことにより給水圧の調整を行うことが望まれるが、それぞれ独立した装置を設定したのでは、機器本体の体積増大や配管スペースの増大を伴い、到底これに対応し切れない問題がある。
【０００６】
特に、水道用メータホルダーの面間距離調整のために用いられる伸縮管は、メータ等機器本体に逆流を生じさせないため逆止弁の設置が必要となるが、独立した逆止弁を別に設定すると作業的にも配管スペース的にも大きな無駄を伴うことになる。
【０００７】
また、逆止弁体は付勢スプリング等の不安定な部材によって支持されるため、流量調整等のため止水栓のボールバルブが半開されて偏頗な乱流が逆止弁体に当たると弁体が傾き弁座との当接不良を生じたり、弁体パッキンのはみだしや挟み込みといった故障を招く問題がある。
【課題を解決するための手段】
【０００８】
本発明は上記した問題点に対応し、本来の異物濾過機能のほか、逆止弁体に対向する乱流によって生ずる偏頗な流圧を調整する機能をも備えた濾過整流板として構成し、閉鎖方向に付勢された逆止弁体の１次側に弁座を介して設定し、弁体に対してその作動に適応した流圧が掛けられるようにすると共に、その取付けにより逆止弁座の配設を安定的に封止できるようにした。
【０００９】
即ち、濾過整流板を、開閉可能に２分割した環状フレームの中央部にストレーナスクリーンとしてメッシュ板を着脱可能に嵌着し、端縁部をバルブケースとの嵌合構造に構成して、環状フレームとバルブケースとの嵌合により逆止弁の弁座を封止するように構成したものである。
【００１０】
また、濾過整流板の素材を合成樹脂製とし、交換可能なメッシュ板を中央部のメッシュ孔の径と外周部のメッシュ孔の径を変化させたり、メッシュ板の中央部を凸又は凹状の曲面に構成したり、更に、中央部を凸レンズ状に膨出させて肉厚に構成し、メッシュ孔の長さを伸長して整流効果を強化したりして逆止弁体の設定環境に対応した整流機能を持つ整流板として設定することを可能にした。
【００１１】
更に、水道用メータホルダーの面間距離調整のために用いられる伸縮管をバルブケースとして、その内部に濾過整流板と逆止弁を設定するようにして伸縮管機能をも併せ持つように構成した。
【実施例】
【００１２】
以下、図面を参照して本発明の実施例を説明する。１は伸縮管形態に構成したバルブケースで、逆止弁体２を収納した本体１１で２次側に機器ホルダー部と螺合する袋ナット１２、１次側に止水栓Ａとの接続フレーム１３が袋ナット１４により螺締されるようになっている。
【００１３】
接続フレーム１３の１次側端部は、濾過整流板３との嵌合構造となっており、嵌合により接続フレーム１３の端部に嵌着された逆止弁座２１が嵌着孔内に封止され、２次側からの逆流圧に対しても外れることがないようになっている。
【００１４】
逆止弁体２は、弁座２１への圧着部にＯリング２３を嵌着（Ｏリング２３は弁体側に嵌着する場合と弁座側に嵌着する場合とがある）すると共に、基部に設定されたスプリング２２によって弁座２１に圧着する方向に付勢され、常時は閉弁しているが、止水栓Ａが開栓すると１次側からの流圧によって開弁し水流を機器Ｂに送水する。一方、機器Ｂ側から逆流圧が掛かると弁体２が弁座２１に圧着されて水路を閉鎖し逆流が防止される。
【００１５】
濾過整流板３は、開閉可能に２分割した環状フレーム３１ａ、ｂの内周端縁に穿設された嵌着溝３１ｃにメッシュ板３２を嵌着して閉鎖し、外周端縁に穿設された嵌着溝３１ｄにＯリング３３を嵌入して環状フレーム３１ａと３１ｂを固着することにより環状フレーム３１の中央部にメッシュ板３２が設定される。
【００１６】
メッシュ板３２は、８０から２０メッシュの金網製のもの、或いは同様の割合で多数のメッシュ孔３４を穿設した合成樹脂製の円板とし、逆止弁ユニットの設定環境に対応して、メッシュ板中央部のメッシュ孔の径を大きく、外周部のメッシュ孔の径を小さく形成し、或いは中央部のメッシュ孔の径を小さく、外周部のメッシュ孔の径を大きく形成し、更には、メッシュ板の中央部を凸又は凹状の曲面に構成する。
【００１７】
更には、図７に示すようにメッシュ板の中央部を凸レンズ状に膨出させて肉厚に構成すれば、メッシュ孔の長さが伸長され整流効果が強化される。また、環状フレーム片３１ａ、３１ｂは、図６に示すように一端を枢着部３０として着合させて開閉可能に構成すれば、一体化してバラバラになることを防止でき、取扱いにも便利でメッシュ板の嵌着作業にも有利である。
【００１８】
逆止弁ユニットは、本体１１の内部に張設したスプリング２２によって逆止弁体２を１次方向に付勢設定し、１次側端部に弁座２１を嵌着すると共に環状フレーム３１の下端側内周部に設定した嵌合構造３５により本体１１と環状フレームを嵌合させ、嵌着溝３１ｄにＯリング３３を嵌入して固定しユニットとして構成する。
【００１９】
ユニットは袋ナット１４により接続フレーム１３に螺締され、止水栓Ａと接合される。止水栓Ａが半開されるとボールバルブ４の通水路４１は逆止弁体２に対して偏頗な方向に開口し乱流化するが、濾過整流板のメッシュ孔３４を流過することにより整流され弁体２に対して作動方向に正対する流圧が形成されるものである。
【００２０】
本発明は以上のように構成したので、止水栓の半開時等に発生する乱流による逆止弁体の故障を大幅に減少させることができ、従来、止水栓とは別に、逆止弁、ストレーナ等を配管中に設ける必要があったのに対して本願発明による逆止弁ユニットだけによって全て対応でき、部品交換や修理についても簡易迅速に対応することができたものである。
【図面の簡単な説明】
【００２１】
【図１】本発明による逆止弁ユニットの実施例を示すもので、止水栓に着合した状態の全体を縦断面とした全体構造側面図である。
【図２】濾過整流板を着合しない従来の逆止弁における止水栓から乱流の発生する状况を示す全体を縦断面とした全体構造側面図である。
【図３】同じく、従来例を示すもので、図２に対応する全体を横断面とした全体構造平面図である。
【図４】本発明による逆止弁ユニットの実施例を示すもので、止水栓からの乱流を整流する状况を示す全体を縦断面とした全体構造側面図である。
【図５】同じく、本発明による濾過整流板の環状フレームの実施例を示す斜視図である。
【図６】同じく、本発明による濾過整流板の実施例を示すもので、フレーム片の一端を枢着した状態とメッシュ板との関係を示す分解平面図である。
【図７】同じく、本発明による濾過整流板の実施例を示すもので、メッシュ板の中央部を凸レンズ状に膨出させて肉厚に構成した状况を示す濾過整流板の縦断面側面図である。
【符号の説明】
【００２２】
１      伸縮管形態に構成したバルブケース
１１      逆止弁ユニットの本体ケース
１２      機器ホルダー部と螺合する袋ナット
１３      止水栓との接続フレーム
１４      接続フレームと螺締する袋ナット
２      逆止弁体
２１      逆止弁座
２２      逆止弁体付勢スプリング
２３      逆止弁体圧着面のＯリング
３      濾過整流板
３０      環状フレームの枢着部
３１      環状フレーム
３１ａ      環状フレーム片
３１ｂ      環状フレーム片
３１ｃ      環状フレーム片のメッシュ板嵌着溝
３１ｄ      環状フレーム片の固定Ｏリング嵌着溝
３２      メッシュ板
３３      固定Ｏリング
３４      メッシュ孔
３５      環状フレームの本体ケースとの嵌合構造
４      止水栓のボールバルブ
４１      ボールバルブの通水孔
Ａ      止水栓
Ｂ      水道用メーター等の機器
【図１】
2008014352.tif 000003
【図２】
2008014352.tif 000004
【図３】
2008014352.tif 000005
【図４】
2008014352.tif 000006
【図５】
2008014352.tif 000007
【図６】
2008014352.tif 000008
【図７】
2008014352.tif 000009